(57)【要約】【課題】洗面化粧台や流し台などの間口の広いキャビネット内に引出し／収納可能に設けられる収納トレイをコスト低廉に提供する。また、使用しないガード部材が邪魔になったり、無くしたりすることがないようにする。【解決手段】収納スペースとなる底面３の外側に、下端が開放された山形二重壁状の側壁２ａ，２ｂが形成されるように、収納トレイ１を合成樹脂で一体成形した。そして、この側壁２ａ，２ｂ内にスライドレール機構のローラ８を設けると共に、この側壁２ａ，２ｂの上端面に、ガード部材１１を取り付けるための挿着穴５を複数、列状に設けた。さらに、この挿着穴５と前記ローラ８との間の側壁の内部空間を利用して、ここに使用しないガード部材１１を収納することとした。【選択図】  図１
2005034266.tif 000002
【特許請求の範囲】
【請求項１】
洗面化粧台や流し台のキャビネット内に引出し／収納可能に設けられる収納トレイであって、この収納トレイは、側壁が山形の二重壁状に合成樹脂で一体成形され、該側壁内にスライドレール機構のローラが設けられると共に、該側壁の上端面に、金属杆を屈曲してなるガード部材を取り付けるための挿着穴が複数列状に設けられ、かつ、該挿着穴と前記ローラとの間には、使用しないガード部材を収納保管する収納部が設けられたものであることを特徴とする収納トレイ。
【請求項２】
後壁面に、両端が収納部内に挿入されたガード部材の中央部分を掛支保持するフックが、上向きに突設されていることを特徴とする請求項１記載の収納トレイ。
【発明の詳細な説明】
【０００１】
【発明の属する技術分野】
本発明は、洗面化粧台や流し台のキャビネット内に引出し／収納可能に設けられる収納トレイに関する。
【０００２】
【従来の技術】
従来、この種の収納トレイとしては、キャビネットの底板に固定された支持レールに、バーを骨格状に組み立てて形成されたフレーム体を前後方向スライド自在に取り付け、このフレーム体に架設されるようにした合成樹脂の一体成形品があった。（例えば、特許文献１参照）。
【０００３】
また、この他にキャビネットの左右側板の内壁面に取り付けられたレールに、このレールに摺動あるい転動可能に係合する部材を介して、収納トレイを引出し／収納可能に支持させた引出し状のものもあった。（例えば、特許文献２参照）。
【０００４】
【特許文献１】
特開平１１−３４６８５３号公報（第３−４頁、第２図）
【特許文献２】
実公平８−９４８号公報（第２−３頁、第９図）
【０００５】
【発明が解決しようとする課題】
上述した従来の収納トレイのうち、前者のフレーム体を介してキャビネットに取り付けられるものは、合成樹脂で一体成形されているので、収納トレイ自体はコスト低廉に製造できるが、キャビネットに引出し／収納可能に取り付けるためには、別途、支持レールにスライド自在に取り付けられるフレーム体を準備しなくてはならず、全体の構成が複雑化し、かつ、その製造コストも嵩むという問題点があった。また、この収納トレイは、小物の収納を目的としたものであり、大きな物や重量の重いものを収納することができないという問題点があった。さらに収納トレイを支持したフレーム体は、キャビネットの底板に固定された支持レールにスライド可能に係合しているが、この係合部分が覆われていないので、埃が堆積して固着したり、異物を噛み込んだりするおそれがあり、円滑な引出し／収納操作が妨げられるという問題点もあった。
【０００６】
また、後者の引出し状のものは、キャビネットの内壁面に取り付けられたレールに係合支持させるために、その側面にこのレールと摺動あるい転動可能に係合する部材を設けなくてはならず、合成樹脂で一体成形することが困難であると共に、その構成も複雑になるという問題点があった。また、側面で支持されているため、耐荷重力が小さく、重量物の収納に適さないという問題点もあった。さらに、流し台のように間口の広いキャビネットの場合、その全幅方向にわたって設けることは困難であり、一部に設けようとしても、片側のレールを固定するための隔壁などの構造物を別途、設けなくてはならず、構造が複雑になると共に、この構造物によりキャビネット内の収納容積も減少するという新たな問題点を生じた。また、この収納トレイもレールとの係合部が外部に露呈しているため、ここに埃が溜まったり、化粧料や洗剤などの薬品類が付着するおそれがあり、これらが固着すると円滑な引出し／収納操作が妨げられるおそれがあった。
【０００７】
本発明は、上記従来の収納トレイが有していた問題点の解決を課題とする。
【０００８】
【課題を解決するための手段】
上記の課題を解決するために、本発明のうち、請求項１記載の発明は、洗面化粧台や流し台のキャビネット内に引出し／収納可能に設けられる収納トレイを、側壁が山形の二重壁状に合成樹脂で一体成形されたものとし、この側壁内にスライドレール機構のローラを設けると共に、この側壁の上端面に、金属杆を屈曲してなるガード部材を取り付けるための挿着穴を複数列状に設け、かつ、この挿着穴と前記ローラとの間には、使用しないガード部材を収納保管する収納部を設けたことを特徴とする。
【０００９】
請求項２記載の発明は、上記請求項１記載の発明の構成に、両端が収納部内に挿入されたガード部材の中央部分を掛支保持するフックを、収納トレイの後壁面に、上向きに突設した構成を加えたことを特徴とする。
【００１０】
【発明の実施の形態】
以下、本発明を図示した実施の形態に基づき詳細に説明する。
【００１１】
図１は、本発明に係る収納トレイの実施形態を示した斜視図、図２、図３、図４は、それぞれその平面図、背面図、側面図を示す。図示したように、この収納トレイ１は、平面視、略四角形状のものであり、収納スペースとなる底面３の周囲に山形の周壁２を連設した形状に合成樹脂で一体成形されている。そして、この周壁２を構成した左右の側壁２ａ，２ｂには、その後側（図２において上側）の上端面に、所定間隔おきにガード部材１１を取り付けるための挿着穴５が、左右対称な位置に設けられている。
【００１２】
上記ガード部材１１は、金属杆を略コ字形に屈曲して形成されたものであり、任意の位置の挿着穴５に、その下端を差し込むことにより、収納トレイ１上に垂直に取り付けられ、底面３の収納スペースを前後方向に分ける仕切りとなると共に、ここに収納された瓶等の収納物（図示せず）が不用意に倒れないように保護する支えとなるものである。
【００１３】
また、山形の二重壁状に形成された左右の側壁２ａ，２ｂは、その下面が開放されており、この二重壁状の側壁２ａ，２ｂの内部空間を利用して、ここに図６に示すようにスライドレール機構のローラ８を、取付金具を兼ねたインナーレール９を介して取り付けている。なお、このローラ８は、図５に示すように収納トレイ１の後寄り（図１において右奥側）の位置に設けられている。
【００１４】
また、この収納トレイ１は、後壁２ｃの外壁面が、図３に示すように略Ｍ字形に切欠されており、左右の側壁２ａ，２ｂの後側（図３において紙面の手前側）が外部に開放されている。ここにおいて、この中空の二重壁状に形成された側壁２ａ，２ｂの内部には、壁面と直交する方向に複数の補強リブ６が所定間隔おきに設けられており、前記開放された側（トレイの後側）に位置した補強リブ６には、ガード部材１１の収納部となる係止孔６が設けられている。また、後壁２ｃの外壁面には、前記係止孔６とほぼ同高位置に、略Ｌ字形のフック４が上向きに突設されている。
【００１５】
上記構成を有する本発明の収納トレイ１は、図５並びに図６に示すように、洗面化粧台などのキャビネット２０の内部床面２１に固定された断面略コ字形の一対のアウターレール１０，１０に、インナーレール９のローラ８を係合させることにより、このキャビネット２０に引出し／収納可能に取り付けられるようになっている。したがって、スライドレール機構は、収納物からの液垂れが付着したり、埃が堆積したりしないように、この収納トレイ１で完全に覆われることとなる。
【００１６】
なお、図５において符号２２は、キャビネット２０の前面に取り付けられた開閉扉を示し、２ｄは、収納トレイ１の把手１２が設けられた前壁を示す。
【００１７】
なおまた、図示していないがアウターレール１０の前端寄りには、収納トレイ１の抜け止めと、その転動支持機能を兼ねたローラが設けられている。
【００１８】
次に上記構成を有する本発明の収納トレイ１の機能について述べる。
【００１９】
まず、本発明の収納トレイ１では、物の出し入れをする際、キャビネット２０の前面の開閉扉２２を開けた後、必要に応じてこの収納トレイ１をキャビネットから引き出すことができるので、その出し入れがキャビネット２０の前側の広い空間で容易に行え、また、その内奥側に収納されていたものを見落とすこともない。よって、操作性に優れ、収納物も整然と収納され、必要とするものを容易に探し出すこともできる。また、本発明の収納トレイ１では、側壁２ａ，２ｂの上端面にガード部材１１を取り付けるための挿着穴５を所定間隔おきに設けているので、収納する物の形状や大きさに応じてこのガード部材１１を必要な位置に取り付けることができる。よって、収納物をこのガード部材１１で区分して、整然と収納することができると共に、瓶などの収納物が不用意に倒れることも防止され、内容液がこぼれるというトラブルも回避される。
【００２０】
また、このガード部材１１は必要としない時には、取り外すことができ、このようにすれば、収納スペースを最大限に利用して、大きな物の収納も可能となる。さらにこの時、本発明の収納トレイ１では、この使用しないガード部材１１を中空の二重壁状になった側壁２ａ，２ｂの内部空間内に収納することができるようになっているので、このガード部材１１が邪魔になったり、紛失したりするおそれがない。
【００２１】
次にこのガード部材１１の収納手順について説明すると、スライドレール機構でスライド可能に支持された本発明の収納トレイは、キャビネット２０から最大限に引き出した状態で、その前端を斜め上方に引き上げれば、抜け止めとなっているアウターレール１０前端のローラ（図示せず）との係合が外れ、容易にキャビネット２０から取り出すことができるので、まず、このようにして収納トレイ１を一旦キャビネット２０から取り出す。次に、使用しないガイド部材１１を、その両端が係止孔７内に挿入されるように、収納トレイ１の後側から差し込み、中央の横杆部分が後壁２ｃに接した後、この横杆部分をフック４に落し込み、掛支させれば良く、このことで、ガイド部材１１は、側壁２ａ，２ｂ内に収納された状態に保持されるので、この状態で収納トレイ１をキャビネット２０に設けられたアウターレール１０に、スライド可能に係合させれば良い。
【００２２】
以上のようにして本発明の収納トレイ１は、使用されるものである。
【００２３】
なお、図示した実施の形態では、ガード部材１１の収納部として、補強リブ６に設けられた係止孔７を例示したが、この収納部は、二重壁構造の側壁２ａ，２ｂ内を利用して、その下側に位置したローラ８と、その上端面に設けられた挿着穴５との間に設けられていれば良く、その係止手段や構造は、図示したものに限られるものではない。
【００２４】
【発明の効果】
以上説明したように、本発明のうち、請求項１記載の発明は、収納トレイを、側壁が山形の二重壁状となるように合成樹脂で一体成形し、この側壁内にスライドレール機構のローラを設けたので、スライドレール機構がこの側壁で完全に覆われ、埃の堆積が防止されると共に、収納物からの液だれなどの付着も防止され、引出し／収納動作が阻害されるおそれがない。また、側壁の上端面にガード部材を取り付けるための挿着穴を設け、任意の位置で収納スペースを区分できるようにしたので、収納物を整然と収納できると共に、瓶等の嵩の高いものが不用意に倒れることも防止される。また、側壁の内部空間を利用し、ここにガード部材を収納できるようにしたので、使用しないガード部材が邪魔になることがなく、紛失してしまうおそれもない。
【００２５】
請求項２記載の発明は、収納トレイの後壁面にフックを突設し、このフックで収納部内に収納されたガード部材の中央部分を係止保持することとしたので、収納トレイの出し入れに伴ってこのガード部材が収納部から不用意に脱落するおそれがなく、また、その着脱も容易に行えるという効果がある。
【図面の簡単な説明】
【図１】本発明に係る収納トレイの実施形態を示した斜視図である。
【図２】図１に示した収納トレイの平面図である。
【図３】図１に示した収納トレイの背面図である。
【図４】図１に示した収納トレイの側面図である。
【図５】収納トレイの取付例を示したキャビネットの斜視図である。
【図６】収納トレイの設置状態の簡略断面図である。
【符号の説明】
１  収納トレイ
２  周壁
２ａ，２ｂ  側壁
２ｃ  後壁
２ｄ  前壁
３  底面
４  フック
５  挿着穴
６  補強リブ
７  係止孔（収納部）
８  ローラ
９  インナーレール
１０  アウターレール
１１  ガード部材
【図１】
2005034266.tif 000003
【図２】
2005034266.tif 000004
【図３】
2005034266.tif 000005
【図４】
2005034266.tif 000006
【図５】
2005034266.tif 000007
【図６】
2005034266.tif 000008